(57)【要約】  高速・広波長帯域動作可能な偏波多重型ＩＱ光変調器を提供すること。親となるマッハ・ツェンダー型（ＭＺＭ）光導波路と、前記親のＭＺＭ光導波路を構成する２つのアームそれぞれに設けられた子となるＭＺＭ光導波路と、前記子のＭＺＭ光導波路を構成する２つのアームに沿ってそれぞれ設けられ、変調信号が印加されることによりＭＺＭを伝搬する光信号を位相変調する２つの電極線路と、前記２つの電極線路にそれぞれ接続され、前記２つの電極線路に対し印加する前記変調信号を入力するためのＲＦ引出線路と、前記親のＭＺＭ光導波路の２つのアームに光を分波する第１の光分波器と、前記子のＭＺＭ光導波路の２つのアームに光を分波する第２の光分波器と、前記子のＭＺＭ光導波路の２つのアームからの光を合波する第１の光合波器とを備え、前記２つの電極線路が設けられた前記子のＭＺＭ光導波路のストライプ方向に対して、前記ＲＦ引出線路のストライプ方向と、前記第２の光分波器のストライプ方向と、前記第１の光合波器のストライプ方向とが同一であり、かつ前記第１の光分波器のストライプ方向は直交関係であることを特徴とするＩＱ光変調器。
2018174083.tif 000002
【特許請求の範囲】
【請求項１】
親となるマッハ・ツェンダー型（ＭＺＭ）光導波路と、
前記親のＭＺＭ光導波路を構成する２つのアームそれぞれに設けられた子となるＭＺＭ光導波路と、
前記子のＭＺＭ光導波路を構成する２つのアームに沿ってそれぞれ設けられ、変調信号が印加されることによりＭＺＭを伝搬する光信号を位相変調する２つの電極線路と、
前記２つの電極線路にそれぞれ接続され、前記２つの電極線路に対し印加する前記変調信号を入力するためのＲＦ引出線路と、
前記親のＭＺＭ光導波路の２つのアームに光を分波する第１の光分波器と、
前記子のＭＺＭ光導波路の２つのアームに光を分波する第２の光分波器と、
前記子のＭＺＭ光導波路の２つのアームからの光を合波する第１の光合波器とを備え、
前記２つの電極線路が設けられた前記子のＭＺＭ光導波路のストライプ方向に対して、前記ＲＦ引出線路のストライプ方向と、前記第２の光分波器のストライプ方向と、前記第１の光合波器のストライプ方向とが同一であり、かつ前記第１の光分波器のストライプ方向は直交関係であることを特徴とするＩＱ光変調器。
【請求項２】
前記親のＭＺＭ光導波路の２つのアームからの光を合波する第２の光合波器をさらに備え、前記２つの電極線路が設けられた前記子のＭＺＭ光導波路のストライプ方向と、該第２の光合波器のストライプ方向が直交関係であることを特徴とする請求項１に記載のＩＱ光変調器。
【請求項３】
前記２つの電極線路と該電極線路に接続されたＲＦ引出線路とは差動結合線路で構成されており、前記ＲＦ引出線路から入力されて前記電極線路に印加される変調信号は差動信号であることを特徴とする請求項１又は２に記載のＩＱ光変調器。
【請求項４】
前記親のＭＺＭ光導波路が同一半導体素子内に２つ並列して集積されおり、前記２つの親のＭＺＭ光導波路に入力する光信号をＸ偏波とＹ偏波とに分離して入力するＸＹ偏波分離用光分波器をさらに備えることを特徴とする請求項１から３のいずれかに記載のＩＱ光変調器。
【請求項５】
前記ＩＱ光変調器と同一パッケージ内に差動入出力型の高周波増幅器が搭載され、当該ＩＱ光変調器と高周波増幅器とが金ワイヤのみを介して直接電気接続されていることを特徴とする請求項１から４のいずれかに記載のＩＱ光変調器。
【発明の詳細な説明】
【技術分野】
【０００１】
本発明は光変調に関し、より詳しくは高速かつ広波長帯域動作可能なＩＱ光変調器に関する。
【背景技術】
【０００２】
光通信システムの大容量化に伴い、高度な光変調方式に対応した高速光変調器が求められている。特にデジタルコヒーレント技術を用いた多値光変調器は１００Ｇｂｐｓを超える大容量トランシーバ実現に大きな役割を果たしている。これら多値光変調器では光の振幅及び位相にそれぞれ独立の信号を付加させるべく、マッハ・ツェンダー干渉型（以下ＭＺＭ）のゼロチャープ駆動が可能な光変調器が並列多段に内蔵されている。【０００３】
図１は現在通信網への普及が進んでいる代表的な偏波多重型のＩＱ光変調器の概略構成図である。図１に示す偏波多重型のＩＱ光変調器は、図２に示す光導波路構造に位相変調用の電極が設けられた構成となっている。図２に示すように光導波路構造は、親ＭＺＭ５７の各アームそれぞれが子ＭＺＭ５６で構成されたいわゆる入れ子構造のＭＺＭが２つ並列した構造のＭＺＭ（Ｑｕａｄ−ｐａｒａｌｌｅｌ  ＭＺＭ）で構成されている。子ＭＺＭ５６には光導波路内を伝搬する光信号に変調動作を行うためのＲＦ信号が入力される進行波型電極６２と位相調整用のＤＣ電圧が入力されるＤＣ電極６３とが設けられており、親ＭＺＭ５７の各アームの子ＭＺＭ５６の後段部位にも位相調整用のＤＣ電圧が入力されるＤＣ電極６４が設けられている。かかる偏波多重型のＩＱ光変調器は、ＬｉＮｂＯ３などの誘電体材料で構成された光導波路の子ＭＺＭ５６に沿って設けられた変調電極にＲＦ信号を入力することにより、電気光学効果を生じさせて子ＭＺＭ５６の光導波路内を伝搬する２つの偏波光信号に位相変調を施している。また、偏波多重型のＩＱ光変調器はＩＱ光変調器の一つであるが、ＩＱ光変調器としては用いる光信号が２つの偏波光信号に限らず、単一の偏波光信号を用いたものも知られている。単一偏波の場合は、入れ子構造のＭＺＭが１つで構成される。【０００４】
これまで報告されたＩＱ光変調器の多くは、光入出力及び変調電極が設けられた光導波路は全て同一方向に形成され、ＲＦ信号を入力（出力）する高周波線路は光入出力方向とは直交する方向から外部給電され、引出線路内で大よそ９０度の曲げが加えられて変調領域へと給電される構成を採用する。これは、光導波路を構成するＬｉＮｂＯ３は光の閉じ込めが弱いために、光入力と高周波線路とを直交させる場合に、光導波路を曲げるというよりも高周波引き出し線路を曲げることが選択されるからである。【０００５】
光変調器をはじめとした光送信器は今後、更なる大容量化（「高速化」）と「低消費電力化」及び小型化の両立が求められており、非特許文献１に示すように、次期４００Ｇシステムに向けて標準化活動も活発化している。特に近年はＬｉＮｂＯ３に代わって小型・高速化の観点でＩｎＰをはじめとした半導体材料が注目を集めている。【０００６】
近年高速化された半導体ＭＺＭでは、図１に示すような進行波型電極（分布定数回路）を用いるのが一般的である。このような進行波型電極において、変調速度を向上（高速化）させるためには主として（１）特性インピーダンス整合、（２）光波とマイクロ波の速度整合、（３）進行波線路自体の抵抗（損失）を最適化する必要がある。ここで、５０ギガボーレートを超えるような現在の変調方式においては、（３）の抵抗増大が変調帯域を劣化させる主要因として考えられており、これらの損失低減が求められている。線路自体の損失（抵抗）は主として導波路パターン部分のドーパント層を構成する半導体材料に起因した抵抗と、金属電極配線自体の抵抗とに分けられる。【０００７】
低消費電力化の観点では、主として２つのアプローチがある。一つ目は（ｉ）電気光学効果を最大限に活用する。二つ目は（ｉｉ）エネルギー効率の高い変調駆動方式を採用することである。（ｉ）の電気光学効果を最大限に活用することに関しては、光閉じ込めを強くする（電界密度を高める）ことと、エネルギーバンド構造を最適化すること等が考えられ、従来から数多くの研究が進められてきた。しかし、これら最適化するには高度な製造設備が求められる他、長年研究されてきたこともあり、電力削減量は頭打ちに近い状況といえる。【０００８】
一方、近年は（ｉｉ）のエネルギー効率の高い変調駆動方式に注目した研究開発が盛んに進められており、中でも光送信器の中で電力消費の大きい高周波増幅器（ＲＦドライバ）に関して、よりエネルギー効率の高い差動出力型ＲＦドライバを同一パッケージ内に搭載することで大幅な電力削減を達成したという報告もある（例えば特許文献１、非特許文献２）。【０００９】
以上のように、ＩＱ変調器の更なる高速化、低消費電力化を実現するためには、変調器材料の電気的損失低減と差動ＲＦドライバの活用が最も有効であるといえる。
【先行技術文献】
【特許文献】
【００１０】
【特許文献１】米国特許第９３１０６６３号明細書
【特許文献２】特許第４２３５１５４号
【非特許文献】
【００１１】
【非特許文献１】Optical internetworking forum“Technology Options for 400G Implementation”
【非特許文献２】Sophie Lange et.al,“Low Power InP-Based Monolithic DFB-Laser IQ Modulator With SiGe Differential Driver for 32-GBd QPSK Modulation” JOURNAL OF LIGHTWAVE TECHNOLOGY, VOL. 34, NO. 8, APRIL 15, 2016
【非特許文献３】N.Wolf et.al,“Electro-Optical Co-Design to Minimize Power Consumption of a 32GBd Optical IQ-Transmitter Using InP MZ-Modulators” Compound Semiconductor Integrated Circuit Symposium (CSICS), 2015 IEEE
【発明の概要】
【発明が解決しようとする課題】
【００１２】
しかし、上記損失低減と差動駆動の両立を５０ギガボーレート超の領域で実現するためにはこれまで報告されている構成においてはいくつかの問題が生じる。例えば非特許文献２では、図１と同様に、光の入出力方向と変調領域の導波路ストライプ（延伸）方向が同一で、高周波の入力信号を変調素子の側面から給電し、素子の引出配線上で大よそ９０度の角度で曲げて変調領域に給電する構成を採用している。この構成の主な問題は、差動信号が上記曲げを伝搬することで差動線路間に伝搬長ズレであるスキューが生じ、同相信号成分を生成してしまうことである。この同相信号成分は周波数応答特性を劣化させるのみでなく、ＩＱチャネル間のクロストークに影響を与える為、差動信号で変調器を駆動させる上において伝送線路のスキューは限りなくゼロが望ましい。即ち、上記伝送線路は直線状に設計することが求められる。この点において、非特許文献２や図１に示した従来の構成ではより周波数の高い（高速な）変調動作を差動駆動で実現する上で問題が残る。【００１３】
一方、上記問題を克服した報告として図３に示す構成の光変調器がある。この構成は光導波路を半導体基板で構成することにより、光入力を９０度曲げる構造を採用して、ＲＦ信号の入力を曲げることなく伝送することを可能としている。しかし、図３の構成でも上述した変調器の電気的損失という観点ではいくつかの問題がある。例えば、高周波の伝送線路は大よそ直線的に形成されてはいるものの、変調領域へ電気を給電させるまでのＲＦ引出線路６５の長さが少なくとも１．５ｍｍ以上必要となる。このミリメータオーダーの長い伝送線路では上述した高ボーレート駆動の際に、ＲＦ伝搬損失が無視できなくなるため、変調帯域を大きく劣化させてしまう。【００１４】
この線路長が長尺化してしまう理由は、光回路として光分波器自体の長さや、曲げ導波路の長さ分の面積が必要となるためである。例えば化合物半導体光変調器の場合は曲げ半径が大よそ１５０〜３００μｍとなるが、１本の光導波路を分岐して通常、数百μｍ〜１ｍｍである所望のチャネル間隔まで互いの導波路の間隔を拡げる為には、ＭＭＩ光カプラとＳ字曲線導波路を含むチャネル間の長手方向に大よそ５００μｍ以上の長さ分の回路面積が必要となる。偏波多重型のＩＱ光変調器においては少なくても光分波器が３つ直列に集積されるためその面積を如何に縮小させ、ＲＦ引出線路長を短尺化させるかが、高速化を実現する上で課題となる。【００１５】
一方、光変調回路設計においては主に、（１）光回路等長設計、（２）チャネル間（電気的）スキュー、（３）高周波線路長、（４）チップ面積等を留意する必要がある。本発明者らは、これらの観点に基づいて採用すべき構成について検討した。先ず、図１に示した構成については、前述の通り、ＲＦ引出線路内に90度曲げ線路が含まれるため差動線路間スキューが生じてしまう他、チャネル間のＲＦ引出線路長が異なるため、変調特性のチャネル依存性が懸念される。よって、ＲＦ線路を曲げざるを得ない本構成は採用できない。【００１６】
ＲＦ線路を曲げずに直線的に入力信号を給電させる方法として最も図１の構成と互換性が高いものに図３が挙げられる。しかし、この構成は上記（１）光回路等長設計、（２）チャネル間スキューの要件を満たすものの、Ｓ字曲線導波路を含む光合分波器の面積が増大するため、（４）チップ面積増大の他、不要な（３）高周波線路長の長尺化にも繋がるため、この構成も採用できない。【００１７】
さらにそこで、本発明者らは、ＲＦ引出線路長の最短設計を行うべく、入力側の光分波器に着目した。即ち変調部分が形成される子ＭＺＭを構成する光導波路のストライプ方向と同一方向に分波器が形成されることが、図３から分かる通り、ＲＦ引出線路長が不要に長くなってしまうという問題を引き起こすのではないかと考えた。そこで、これら光分波器を全て変調部の導波路ストライプ方向と垂直に形成すればＲＦ引出線路長の長尺化は抑制できると考えた。しかし、図４から解るように、全ての光分波器を子ＭＺＭの光導波路のストライプ方向と垂直方向に形成した場合、かえってチャネル間スキュー特性、チップ面積増大等を招いてしまうことが判った。また、ＲＦ引出線路の入力方向のみを光導波路のストライプ方向と一致させる図５のような構成でもＲＦ引出線路の最短設計とは言い難い。【００１８】
本発明者らは、上記のような鋭意検討の結果、ＩＱ光変調器において、光回路の機能ブロック配置を最適化させ、入力側の高周波伝送線路ストライプ方向と光変調器の導波路ストライプ方向を同一にすることで、差動入力信号を低スキュー且つ低損失に光変調部に給電させ、以て変調速度の高速化を図ることができることを見出し、本発明に至った。本発明の課題は、高速・広波長帯域動作可能なＩＱ光変調器を提供することにある。
【課題を解決するための手段】
【００１９】
上記の課題を解決するために、一実施形態に記載された発明は、親となるマッハ・ツェンダー型（ＭＺＭ）光導波路と、前記親のＭＺＭ光導波路を構成する２つのアームそれぞれに設けられた子となるＭＺＭ光導波路と、前記子のＭＺＭ光導波路を構成する２つのアームに沿ってそれぞれ設けられ、変調信号が印加されることによりＭＺＭを伝搬する光信号を位相変調する２つの電極線路と、前記２つの電極線路にそれぞれ接続され、前記２つの電極線路に対し印加する前記変調信号を入力するためのＲＦ引出線路と、前記親のＭＺＭ光導波路の２つのアームに光を分波する第１の光分波器と、前記子のＭＺＭ光導波路の２つのアームに光を分波する第２の光分波器と、前記子のＭＺＭ光導波路の２つのアームからの光を合波する第１の光合波器とを備え、前記２つの電極線路が設けられた前記子のＭＺＭ光導波路のストライプ方向に対して、前記ＲＦ引出線路のストライプ方向と、前記第２の光分波器のストライプ方向と、前記第１の光合波器のストライプ方向とが同一であり、かつ前記第１の光分波器のストライプ方向は直交関係であることを特徴とするＩＱ光変調器である。
【図面の簡単な説明】
【００２０】
【図１】従来の偏波多重型のＩＱ光変調器の一例を示す図である。
【図２】図１の偏波多重型のＩＱ光変調器の光導波路構造を示す図である。
【図３】従来の偏波多重型ＩＱ光変調器の他の一例を示す図である。
【図４】従来の偏波多重型ＩＱ光変調器の他の一例を示す図である。
【図５】従来の偏波多重型ＩＱ光変調器の他の一例を示す図である。
【図６】本実施形態の偏波多重型のＩＱ光変調器の一例を示す図である。
【図７】図６の偏波多重型のＩＱ光変調器の光導波路構造を示す図である。
【図８】本実施形態の偏波多重型のＩＱ光変調器の他の一例を示す図である。
【図９】本実施形態の偏波多重型のＩＱ光変調器の他の一例を示す図である。
【図１０】本実施形態の偏波多重型のＩＱ光変調器に差動出力ドライバアンプを一体集積した構成例を示す図である。
【発明を実施するための形態】
【００２１】
添付の図面を参照して本発明の実施形態を説明する。なお、本明細書及び図面において符号が同じ構成要素は、相互に同一または対応する構成を示すものとする。
【００２２】
図６は本実施形態の偏波多重型のＩＱ光変調器の構成例を示す図であり、図７は、図６の偏波多重型のＩＱ光変調器の光導波路部分の構成を抜き出して示す図である。本実施形態の偏波多重型のＩＱ光変調器１は、光導波路１０上に、ＲＦ引出線路２１と、位相変調用の電極線路２２と、位相調整用の第１の電極２３と、位相調整用の第２の電極２４とを備えて構成される。
【００２３】
光導波路１０は、入力された光信号をＸ偏波とＹ偏波に分離してそれぞれを別々に出力するＸＹ偏波分離用光分波器１１と、Ｘ偏波が伝搬する光導波路とＹ偏波が伝搬する光導波路のそれぞれに設けられ、これらの偏波をさらに２つに分岐する第１の光分波器１２（１２ａ、１２ｂ）と、２つに分岐された偏波をさらに２つに分岐する第２の光分波器１３（１３ａ、１３ｂ、１３ｃ、１３ｄ）と、これらの分波器１２、１３とは逆に、２つの隣接する光導波路を伝搬する光を合波する第１の合波器１４（１４ａ、１４ｂ、１４ｃ、１４ｄ）と、第１の合波器１４で合波された、隣接する光導波路を伝搬する光をさらに合波する第２の合波器１５（１５ａ、１５ｂ）とを備えている。
【００２４】
本実施形態の偏波多重型のＩＱ光変調器は、第２の光分波器１３と第１の光合波器１４とに挟まれた領域が子ＭＺＭ（マッハ・ツェンダー干渉型）光導波路３１であり、第１の光分波器１２と第２の光合波器１５とに挟まれた領域が親ＭＺＭ光導波路３２である、いわゆる入れ子型のＭＺＭ光導波路構造を備えている。
【００２５】
本実施形態の偏波多重型のＩＱ光変調器において、光導波路１０は、例えば曲げ半径が大よそ２００μｍ前後となるＩｎＰ系化合物半導体に形成することができる。しかしながら、ＧａＡｓ、Ｓｉ、ＬｉＮｂＯ３などの電気光学効果を奏する他の材料を用いた基板上に光導波路１０を設けてもよい。
【００２６】
位相変調用の電極線路２２の電極構成は例えばコプレーナ・ストリップ線路のような分布定数型の進行波電極とすることができる。例えば、より高速な変調動作を実現させるべく進行波電極は容量装荷型の電極構造（例えば特許文献２参照）を用いることができる。なお、本実施形態の偏波多重型のＩＱ光変調器においては、差動信号を用いることが重要であり、互いの差動信号同士が差動結合しているか否かは問わない。また、コプレーナ・ストリップ線路以外にも例えばＧＳＧなどのコプレーナ線路を用いてもよい。位相変調用の電極線路２２は、差動信号を印加できるように、電極線路２２とそれに接続されたＲＦ引出線路２１とは差動結合線路（結合差動線路）で構成されていることが好ましい。
【００２７】
本実施形態の偏波多重型のＩＱ光変調器では、図６、７に示すように、（１）位相変調用の電極線路２２に接続されたＲＦ引出線路２１のストライプ（延伸）方向が、光変調部分である子ＭＺＭ光導波路３１のストライプ方向と同一であり、（２）第１の光分波器１２のストライプ方向が、子ＭＺＭ光導波路３１のストライプ方向と垂直であり、（３）第２の光分波器１３のストライプ方向及び第１の光合波器１４のストライプ方向が、子ＭＺＭ光導波路３１のストライプ方向と同一であるように構成されている。本実施形態の構成を採用することで、図３に示す従来構成と比べて、曲げ半径を２００μｍと仮定すると引出線路長を大よそ１ｍｍ以上削減できる見通しを算出した。かかる構成についてさらに説明する。
【００２８】
まず（１）位相変調用の電極線路２２に接続されたＲＦ引出線路２１のストライプ方向が、光変調部分である子ＭＺＭ光導波路３１のストライプ方向と同一であることについて説明する。子ＭＺＭ光導波路上には、ＲＦ引出線路２１に接続された位相変調用の電極線路２２が設けられている。この各子ＭＺＭに設けられた電極線路２２に対し、ＲＦ引出線路２１から高周波信号を入力することにより、電気光学効果を引き起こし、光導波路内を伝搬する光信号が変調される。このＲＦ引出線路２１から入力する高周波信号を差動入力信号とすることによりエネルギー効率の高い光変調が可能である。ＲＦ引出線路２１のストライプ方向と子ＭＺＭ光導波路３１のストライプ方向が同一であるので、差動信号にスキューが発生することを抑制することができる。なお、実際には、電極線路２２のＲＦ引出線路２１とは反対側にもＲＦ信号を出力する信号線路が設けられているが、信号を外部に出力できればよくその構成は任意であるので、ここでは省略している。
【００２９】
上記（１）の構成において、図６に示した通りＲＦ引出線路２１のストライプ方向と位相変調用の電極線路２２のストライプ方向は同一である必要があり、望ましくは全チャネルの線路が並行して直線的に形成されるのが望ましい。なお、「直線状」「同一方向」というのは幾何学的に厳密な直線・同一性を要求するものでなく、入力する高周波信号（マイクロ波）波長に対して直線・同一性が求められることを意味している。それ故、例えばＲＦ引出線路２１内に僅かな曲げ（大よそ曲げ角が３０°以内）導波路が加えられていてもマイクロ波からみて差動線路間スキューの影響が無視できる範囲であればよい。
【００３０】
次に（２）第１の光分波器１２のストライプ方向が、子ＭＺＭ光導波路３１のストライプ方向と垂直（直交関係ともいう）であることについて説明する。第１の光分波器１２のストライプ方向が、子ＭＺＭ光導波路３１のストライプ方向と同一である構成は例えば図５に示されているが、これらのストライプ方向を一致させることでＲＦ引出線路２１が長くなるため、スキューを抑制する観点から好ましくない。
【００３１】
さらに（３）第２の光分波器１３のストライプ方向及び第１の光合波器１４のストライプ方向が、子ＭＺＭ光導波路３１のストライプ方向と同一であることについて説明する。（３）の構成ではなく、子ＭＺＭ内に曲げ導波路を設ける構成によると、導波路アーム長が光変調に必要以上に長くなるため、作製加工プロセスや長期外部環境変動等に起因して生じる変調特性劣化が生じるからである。例えば、高次の伝搬モードを誘発しやすくなり、アーム間アンバランスが崩れるなどの事態が懸念される。その一方で、（３）の構成、即ち、子ＭＺＭ光導波路３１とその前後の光分波器１３、光合波器１４とを共に同一のストライプ方向に形成したとしても、アーム間隔が狭い子ＭＺＭ３１においては光分波器１３、光合波器１４を小型に作製できるためＲＦ引出線路の長尺化が抑えられる。
【００３２】
また、ＭＺ干渉型光回路においては、両アーム間導波路の等長化が広帯域動作には不可欠であるため、第１の光分波器１２のストライプ方向を子ＭＺＭ光導波路３１のストライプ方向に対して垂直に形成した場合には、図６、７のように第２の光合波器１５のストライプ方向も子ＭＺＭ光導波路３１のストライプ方向に対して垂直に形成することで、親ＭＺＭ回路の等長化を小型に実現できる。しかしながら、例えば図８のように親ＭＺＭ光導波路３２内に遅延光回路３５等を設けて、親ＭＺＭ３２のＭＺアーム長を等長化させることで、ＲＦ引出線路２１の長尺化を招かずに、第２の光合波器１５のストライプ方向を子ＭＺＭ光導波路３１のストライプ方向と同一に形成できる。ただし、チップ面積等の観点では図６、７のように第２の光合波器１５のストライプ方向も子ＭＺＭ光導波路３１のストライプ方向に対して垂直に形成するのが望ましい。
【００３３】
光の入力端に設けられるＸＹ偏波分離用光分波器１１に関してはストライプ方向の制限はなく、偏波多重型のＩＱ光変調器１全体の回路構成に応じて任意の方向に形成しても、ＲＦ引出線路２１の長さに影響を与えず、光等長化や干渉条件等への影響も小さい。また、光導波路１０への光入出力方向に関しては特に制約はなく、図６、７に示すように偏波多重型のＩＱ光変調器１の素子長手方向に沿った端面から光入力する構成以外にも、素子短手方向に沿った端面から光入力してもよい。同様に、光出力も、図６、７に示すように素子短手方向に沿った端面から光出力させずに、図９に示すように素子の長手方向に沿った側面から光出力してもよい。
【００３４】
以上の実施形態では、詳細に説明するために、親ＭＺＭを２並列すなわち子ＭＺＭを４並列に集積した偏波多重型光変調器の構成としたが、例えば、親ＭＺＭが１つ、すなわち子ＭＺＭが２並列に集積された単偏波のみのＩＱ変調器構成を採用したとしても本発明の有用性は失われない。
【００３５】
本実施形態の偏波多重型のＩＱ光変調器によれば、多段に設けられた複数の光合分波器の配置を最適化し、加えて高周波信号の入力方向と光変調領域の導波路方向を一致させることで、差動入力信号を低損失且つ低スキューで変調電極に給電することができ、以て変調速度の高速化を図ることができる。
【００３６】
図１０は本実施形態の偏波多重型のＩＱ光変調器１と差動出力ドライバアンプ２を直結して集積させた構成例を示す図である。本実施形態の偏波多重型のＩＱ光変調器１は、図１０に示すように、変調器を駆動するための差動信号を入力する差動出力ドライバアンプ２が一体パッケージに集積されたものであることが好ましい。差動出力ドライバアンプを光変調器と一体パッケージに集積するメリットは主に２つある。１つには、高周波配線を短尺化できることである。これは、パッケージ間の配線を削除可能であり線路損失の大幅な改善が期待できる。
【００３７】
もう１つのメリットは、ドライバ出力側の特性インピーダンスを任意に規定可能なことである。通常パッケージ間のインターフェースは差動１００Ω（シングル５０Ω）のＲＦコネクタが必須であるため、ドライバ出力の特性インピーダンスは差動１００Ωに設定する必要がある。一方、差動出力ドライバアンプを変調器と一体集積する場合には、インターフェースのコネクタを介さないため、変調器の特性インピーダンスに合わせたドライバ設計ができることとなる。通常、光変調器の広帯域化を行う場合、特性インピーダンスが差動１００Ωよりも低下してしまうため、低下した特性インピーダンスにドライバ出力側の特性インピーダンスを合わせることができるのは大きなメリットである。
【００３８】
このように、本実施形態の偏波多重型のＩＱ光変調器の高速化および低消費電力化の効果を最大限に活かすためには差動出力ドライバを同一パッケージ内に集積させることが望ましい。
【００３９】
図１０に示すように本実施形態の偏波多重型のＩＱ光変調器１と差動出力ドライバアンプ２とを直結して一体集積させた場合、通常はアンプ２内に内蔵する必要がある送端終端抵抗を省略してもよい。これにより更なるエネルギー効率改善（低消費電力化）が期待できる。これは非特許文献３に記載のように、変調器と一体集積の場合に限り終端抵抗を省略できることは知られているが、送端終端抵抗の省略は差動出力ドライバアンプ２が、偏波多重型のＩＱ光変調器１側からの電気反射に対して何ら耐性を持たなくなることを意味する。即ち、差動出力ドライバアンプ２出力後から偏波多重型のＩＱ光変調器１内の終端抵抗までの高周波信号線路間に反射点（例えば特性インピーダンスの不整合点）が存在した場合、ここでの反射信号は差動出力ドライバアンプ２内のドライバ回路へ大きく減衰することなく戻り、結果的にドライバの駆動力低下や増幅信号品質劣化を招く恐れがある。この問題を解決するには、ドライバ‐変調器終端間の反射点を無くせばよく、最も効果的な手段の一つに、図１０に示すようにドライバと変調器間に不要なセラミックなどの展開・中継基板を設けず、直接変調器と金ワイヤなので電気接続させることが挙げられる。また、本実施形態の偏波多重型のＩＱ光変調器１によれば、ＲＦ引出線路２１を最小限に構成することができるので、偏波多重型のＩＱ光変調器１と差動出力ドライバアンプ２を直接接続（直結）することで反射点の削減のみならず、線路短尺化による高周波線路損失の改善も同時に達成することができる。
【符号の説明】
【００４０】
１    偏波多重型のＩＱ光変調器
２    差動出力ドライバアンプ
１０  光導波路
１１  ＸＹ偏波分離用光分波器
１２、１２ａ、１２ｂ  第１の光分波器
１３、１３ａ、１３ｂ、１３ｃ、１３ｄ  第２の光分波器
１４、１４ａ、１４ｂ、１４ｃ、１４ｄ  第１の合波器
１５、１５ａ、１５ｂ  第２の合波器
２１  ＲＦ引出線路
２２  電極線路
２３  第１の電極
２４  第２の電極
３１  子ＭＺＭ光導波路
３２  親ＭＺＭ光導波路
３５  遅延光回路
５１  ＸＹ偏波分離用光分波器
５２  第１の光分波器
５３  第２の光分波器
５４  第１の合波器
５５  第２の合波器
５６  子ＭＺＭ
５７  親ＭＺＭ
６２  進行波型電極
６３  ＤＣ電極
６４  ＤＣ電極
６５  ＲＦ引出線路
【図１】
2018174083.tif 000003
【図２】
2018174083.tif 000004
【図３】
2018174083.tif 000005
【図４】
2018174083.tif 000006
【図５】
2018174083.tif 000007
【図６】
2018174083.tif 000008
【図７】
2018174083.tif 000009
【図８】
2018174083.tif 000010
【図９】
2018174083.tif 000011
【図１０】
2018174083.tif 000012
【国際調査報告】
2018174083.tif 000013
2018174083.tif 000014
2018174083.tif 000015
2018174083.tif 000016